(57)【要約】【課題】単純な構造で剛性が高く、組立てが容易な簡易組立室の提供を目的とする。【解決手段】ベース面の周囲を立設片で立ち上げた箱形形状の立体ラーメン構造体を４個と、２枚の側板からなり、１組２個の立体ラーメン構造体を所定の間隔を隔てて立設片を内側にして対向配置し、残りの１組２個の立体ラーメン構造体を立設片を内側にして対向配置しつつ、先に対向配置した２個の立体ラーメン構造体の立設片内側に一辺がそれぞれ呑み込まれるように直角方向に配置し、立体６面のうち、残りの２面にそれぞれ側板を配置してあることを特徴とする。【選択図】  図１
2009263929.tif 000002
【特許請求の範囲】
【請求項１】
ベース面の周囲を立設片で立ち上げた箱形形状の立体ラーメン構造体を４個と、２枚の側板からなり、
１組２個の立体ラーメン構造体を所定の間隔を隔てて立設片を内側にして対向配置し、
残りの１組２個の立体ラーメン構造体を立設片を内側にして対向配置しつつ、先に対向配置した２個の立体ラーメン構造体の立設片内側に一辺がそれぞれ呑み込まれるように直角方向に配置し、立体６面のうち、残りの２面にそれぞれ側板を配置してあることを特徴とする簡易組立室。
【請求項２】
１の１組の立体ラーメン構造体の立設片と、残り他の１組の立体ラーメン構造体の立設片との重なり継手部合計８箇所をボルト締結してあることを特徴とする請求項１記載の簡易組立室。
【請求項３】
４個の立体ラーメン構造体のうち、少なくとも１個の立体ラーメン構造体に扉を設けてあることを特徴とする請求項１又は２記載の簡易組立室。
【発明の詳細な説明】
【技術分野】
【０００１】
本発明は宅内で容易に組立設置可能な簡易組立室に関し、個人用空間を設けるのに適している。
【背景技術】
【０００２】
従来の簡易個室の構造は、棒状、板状の主要部材を組み合わせて骨格を作り、これらを、嵌合継手材やヒンジ継手材を介して結合することで剛性を高めているものがある。
また、曲面部材を組み合わせ、内部に間仕切り壁を設けて、これらをボルトで突合せ接合して剛性の高い立体空間を作っているものがある（特許文献１〜６）。
【０００３】
しかし、従来の簡易組立て式個室等では、棒状の柱や板状の壁材を継手部材で結合する構造のため、部材数が多くなるために組立てに時間がかかり、複数部材を組み合わせないと高い剛性が得にくいという問題があった。
また、薄い曲面構造と内部の間仕切り構造では、部材の突合せ継手が多くなり、壁面の色彩や絵柄などのデザイン変更に手間がかかるという問題があった。
【０００４】
【特許文献１】特開平５−２１４８２３号公報
【特許文献２】特開平１０−６１２２０号公報
【特許文献３】特開平１１−３６６３３号公報
【特許文献４】特開平１１−４４１１０号公報
【特許文献５】特開２００２−１５５５９０公報
【特許文献６】特許第３０１４２６８号公報
【発明の開示】
【発明が解決しようとする課題】
【０００５】
本発明は単純な構造で剛性が高く、組立てが容易な簡易組立室の提供を目的とする。
【課題を解決するための手段】
【０００６】
本発明に係る簡易組立室は、ベース面の周囲を立設片で立ち上げた箱形形状の立体ラーメン構造体を４個と、２枚の側板からなり、１組２個の立体ラーメン構造体を所定の間隔を隔てて立設片を内側にして対向配置し、残りの１組２個の立体ラーメン構造体を立設片を内側にして対向配置しつつ、先に対向配置した２個の立体ラーメン構造体の立設片内側に一辺がそれぞれ呑み込まれるように直角方向に配置し、立体６面のうち、残りの２面にそれぞれ側板を配置してあることを特徴とする。
これにより単純な構造であっても剛性が高い。
ここで、１の１組の立体ラーメン構造体の立設片と、残り他の１組の立体ラーメン構造体の立設片との重なり継手部合計８箇所をボルト締結してあるのが好ましい。
これにより、継手構造が単純化され、組み立て作業の迅速化を図ることができる。
また、立体ラーメン構造体の１つに扉をつけておくと設置場所での扉取り付け作業を省くことができる。
本発明において立体ラーメン構造はベース面の周囲を立設片で立ち上げた箱形形状になっていることをいい、ベース面には窓や扉を設置する枠組があってもよい。
【発明の効果】
【０００７】
この構造形式により部材数を減らすことができ、立体ラーメン構造部材の組み合わせによる骨格構造と化粧合板による側板の差込み構造体を、部材の重ね継手部分においてボルトで締め付け接合することで、剛性の高い構造体を容易に短時間で組立てることができる。
また、側壁の色合い、模様、表面仕上げ状態は容易に変更可能な構造であるため、デザイン性能の優れた簡易組立個室が提供できる。
さらに、箱型立体ラーメン構造体は構造が単純なため、炭素繊維、ガラス繊維等を用いた  ＦＲＰ等で容易に型抜き製造ができ、軽量で気密性、剛性に優れた構造体を提供できる。
【発明を実施するための最良の形態】
【０００８】
本発明に係る簡易組立室の例を図に基づいて説明する。
図１に構成図を示し、図２に組み立て手順を示す。
本実施例では立体ラーメン構造体として背面枠１０、前面枠２０、屋根枠３０及び底枠４０の４個を製作し、前面枠２０の左右を側板６０，７０にした例で説明するが、組立室６面のうち、どの面を立体ラーメン構造体にするかは適宜選定することになる。
前面枠２０には扉２４を設けてあり、屋根枠３０には天窓３４を設けてある。
【０００９】
本発明に係る立体ラーメン構造体の構成を背面枠１０に基づいて説明する。
背面枠１０は略方形のベース面１１の周囲４辺から直角方向に立設片１２ａ，１２ｂ，１２ｃ，１２ｄを立ち上げることで箱形形状の立体ラーメン構造体としてある。
本発明において立体ラーメン構造体はベース面の周囲を立設片で立ち上げた箱形形状になっていることをいい、このベース面には、屋根枠３０のように天窓３４を設けたり、前面枠２０のように扉２４を設けてもよい。
背面枠１０、前面枠２０、屋根枠３０及び底枠４０の立体ラーメン構造体部分は、炭素繊維やガラス繊維等を用いたＦＲＰ等で型抜き製造してある。
簡易組立室は、背面枠１０と前面枠２０を所定の間隔を隔てて立設片を内側にして対向配置し、屋根枠３０と底枠４０を所定の間隔を隔てて立設片を内側にして対向配置して組み立てる。
【００１０】
細部構造を具体的な組み立て手順と合わせて説明する。
簡易組立室は、先ず図２（ａ）に示すように背面枠１０を、ベース面１１が床面９０側となるように床面９０上に置く。
説明をわかりやすくするために、背面枠１０と屋根枠３０との連結部分を拡大した説明図を図３、図４に示す。
図３（ａ）に示すように、背面枠１０に対して屋根枠３０は、背面枠１０の立設片１２ａの内側に沿う位置に屋根枠３０のベース面３１を合わせて、図２（ｂ），図３（ｂ）に示すように屋根枠３０の立設片３２ａを背面枠１０の立設片１２ａの内側に呑み込ませるようにして互いに直角方向に配置する。
底枠４０は、同様に背面枠１０の立設片１２ｃの内側に底枠４０の立設片４２ａを呑み込ませるようにして直角方向に配置する。
背面枠１０の立設片１２ｂが屋根枠３０の立設片３２ｂと重なる部分にはボルト締結用の穴である継手部１３ａが設けてあり、立設片１２ｄが立設片３２ｄと重なる部分には継手部１３ｄが設けてある。
そして、屋根枠３０の立設片３２ｂには継手部１３ａに対応する継手部３３ａが設けてあり、立設片３２ｄには継手部１３ｄに対応する継手部３３ｄが設けてある。
図２（ｂ），図３（ｂ）に示すように屋根枠３０を背面枠１０に直角方向に配置した状態は、ボルトナット８４で継手部１３ａ及び継手部３３ａ、継手部１３ｄ及び継手部３３ｄを仮止めのボルト締結して保持する。
背面枠１０に対する底枠４０の連結構造は、背面枠１０に対する屋根枠３０の取付構造と同構造であり、背面枠１０の立設片１２ｂが底枠４０の立設片４２ｂと重なる部分には図１に示すように継手部１３ｂが、立設片１２ｄが立設片４２ｄと重なる部分には継手部１３ｃが設けてある。
底枠４０の立設片４２ｂには継手部１３ｂに対応する継手部４３ａが設けてあり、立設片４２ｄには継手部１３ｃに対応する継手部４３ｄが設けてある。
屋根枠３０は、立設片３２ｂに側板７０を差し込むための側板用凹部３５ａを設けてあり、立設片３２ｄに側板６０を差し込むための側板用凹部３５ｂを設けてあり、それぞれの側板用凹部は側板に対応する形状で内向きに凹ませてある。
同様に、底枠４０の立設片４２ｂには側板用凹部４５ａが設けてあり、立設片４２ｄには側板用凹部４５ｂが設けてある。
【００１１】
側板６０，７０は、図２（ｃ）に示すように仮止め状態の屋根枠３０と底枠４０をそれぞれ、外向きに押し開くようにしながら、側板６０は背面枠１０の立設片１２ｄの内側で側板用凹部３５ｂと側板用凹部４５ｂに差し込み、側板７０は立設片１２ｂの内側で側板用凹部３５ａと側板用凹部４５ａに差し込み、図２（ｄ），図４（ａ）に示すようにそれぞれ取り付ける。
この側板の取付けは、図５（ａ）に示すような側板挿入用枠８０を用いるものでもよい。
側板挿入枠８０は、並設した溝状で互いに反対方向に開口する側板挿入凹部８１と立設片挿入凹部８２とを有する折曲げ片形状に一体に形成してある。
側板挿入枠８０を用いた側板７０の取付けは、予め図５（ｂ）に示すように側板７０の立設片１２ｂ側の端部を側板挿入凹部８１に挿入して接着しておき、側板７０の立設片１２ｂへの取付時には立設片挿入凹部８２を立設片１２ｂに挿入係着させる。
【００１２】
前面枠２０と屋根枠３０及び底枠４０は、背面枠１０と屋根枠３０及び底枠４０を連結した同構造で連結する。
前面枠２０には、図１に示すように屋根枠３０をボルト締結するための継手部２３ａ，２３ｃと、底枠４０をボルト締結するための継手部２３ｂ、２３ｄが設けてある。
そして、屋根枠３０には前面枠２０にボルト締結するための継手部３３ｂ，３３ｃが設けてあり、底枠４０には前面枠２０にボルト締結するための継手部４３ｂ，４３ｃが設けてある。
前面枠２０は前面枠２０の立設片２７ａの内側に屋根枠３０の立設片３１ｃを呑み込ませるようにして互いに直角方向に配置し、前面枠２０の立設片２７ｃの内側に底枠４０の立設片４２ｃを呑み込ませるようにして互いに直角方向に配置して、図２（ｅ）に示すように取り付ける。
これにより、側板６０は、側板用凹部３５ｂ、４５ｂにそれぞれ外側からあてがった状態で、背面枠１０の立設片１２ｄ及び前面枠２０の立設片２２ｄで外側から囲って固定されている。
そして、側板７０は、側板用凹部３５ａ，４５ａにそれぞれ外側からあてがった状態で、背面枠１０の立設片１２ｂ及び前面枠２０の立設片２２ｂで外側から囲って固定されている。
屋根枠３０を前面枠２０に直角方向に配置した状態は、ボルトナット８４で継手部２３ａ及び３３ｂ、継手部２３ｃ及び継手部３３ｃを本締めして図４（ｂ）に示すように固定する。
底枠４０を前面枠２０に直角方向に配置した状態は、同様に継手部２３ｂ及び４３ｂ、継手部２３ｄ及び継手部４３ｃをボルトナット８４で本締めして固定する。
また、仮止め状態であった屋根枠及び底枠と背面枠とのボルトナット８４も本締めして固定する。
これにより、背面枠１０と前面枠２０の立設片と、屋根枠３０及び底枠４０の立設片の継手部の重なり部分の合計８箇所をボルト締結して、簡易組立室の室構造を固定してある。
そして、図２（ｆ）に示すように底枠４０を下にして立ててドアノブ８３を取り付けて簡易組立室１を完成する。
【産業上の利用可能性】
【００１３】
自宅でトイレを増設する場合やオフィス内で更衣室、休憩室を増設する場合等、室内での設置・移動が容易であり、利用者の好みに合わせた幅広いデザインを選べるプライベート空間の提供が可能となる。
【図面の簡単な説明】
【００１４】
【図１】本発明に係る簡易組立室の構成図を示す。
【図２】簡易組立室の組み立て手順を示す。
【図３】組み立て手順の拡大説明図を示す。
【図４】組み立て手順の拡大説明図を示す。
【図５】側板挿入枠の説明図を示す。
【符号の説明】
【００１５】
１        簡易組立室
１０      背面枠
１１      ベース面
１２ａ，１２ｂ，１２ｃ，１２ｄ    立設片
１３ａ，１３ｂ，１３ｃ，１３ｄ    継手部
２０      前面枠
２１      ベース面
２２ａ，２２ｂ，２２ｃ，２２ｄ    立設片
２３ａ，２３ｂ，２３ｃ，２３ｄ    継手部
２４      扉
３０      屋根枠
３１      ベース面
３２ａ，３２ｂ，３２ｃ，３２ｄ    立設片
３３ａ，３３ｂ，３３ｃ，３３ｄ    継手部
３４      天窓
３５ａ、３５ｂ  側板用凹部
４０      底枠
４１      ベース面
４２ａ，４２ｂ，４２ｃ，４２ｄ    立設片
４３ａ，４３ｂ，４３ｃ，４３ｄ    継手部
４５ａ、４５ｂ  側板用凹部
６０、７０  側板
８０      側板挿入枠
８１      側板挿入凹部
８２      立設片挿入凹部
８３      ドアノブ
８４      ボルトナット
９０      床面
【図１】
2009263929.tif 000003
【図２】
2009263929.tif 000004
【図３】
2009263929.tif 000005
【図４】
2009263929.tif 000006
【図５】
2009263929.tif 000007